(57)【要約】  【課題】所望量の内容物の取り出しを簡単に行える様にすると共に、液垂れの発生を防止する。  【解決手段】中栓１は、螺合筒６と、該螺合筒の内側に位置する注出筒７と、該注出筒の基端部を閉鎖する遮断壁９と、該遮断壁に設けられ、前記注出筒の基端部の内側に位置する切裂開口部用の弱化部１０と、前記遮断壁に設けられ、前記弱化部の内側に位置するプルリング１５と、を備え、前記ノズル具２０は、前記螺合筒に螺着する螺着筒２１と、該螺着筒の頂面に突設したノズル２８と、該螺着筒にヒンジ結合され、閉蓋時に前記螺着筒の頂面２２を覆い前記ノズルを閉じる外蓋２３と、を備えている。  【選択図】  図１
2005112386.tif 000002
【特許請求の範囲】
【請求項１】
容器口部に打栓装着される中栓と、該中栓に螺合装着されるノズル具と、からなる合成樹脂製容器蓋において；
前記中栓は、螺合筒と、該螺合筒の内側に位置する注出筒と、該注出筒の基端部を閉鎖する遮断壁と、該遮断壁に設けられ、前記注出筒の基端部の内側に位置する切裂開口部用の弱化部と、前記遮断壁に設けられ、前記弱化部の内側に位置するプルリングと、を備えており、
前記ノズル具は、前記螺合筒に螺着する螺着筒と、該螺着筒の頂面に突設したノズルと、前記螺着筒にヒンジ結合され、閉蓋時に前記螺着筒の頂面を覆い前記ノズルを閉じる外蓋と、を備えていることを特徴とする合成樹脂製容器蓋。
【請求項２】
少量の内容物取出時には、外蓋を開蓋してノズルから注出し、大量の内容物取出時には、ノズル具の螺合を解除し中栓の注出筒から抽出することを特徴とする請求項1記載の合成樹脂製容器蓋。
【請求項３】
前記容器蓋は、切裂開口部と前記ノズルにより絞られ形成された、注出筒室を有することを特徴とする請求項1、又は、２記載の合成樹脂製容器蓋。
【請求項４】
前記ノズル具の外周面に、ローレットを形成したことを特徴とする請求項１、２、又は、３記載の合成樹脂製容器蓋。
【請求項５】
前記中栓とノズル具の色は、互いに異なることを特徴とする請求項１、２，３、又は、４記載の合成樹脂製容器蓋。
【請求項６】
ノズル具の頂面の内側に、閉蓋時に注出筒の内面と当接するインナーリングを設けたことを特徴とする請求項１、２、３、４、又は、５記載の合成樹脂製容器蓋。
【発明の詳細な説明】
【技術分野】
【０００１】
この発明は、ドレッシング、ソース、食用油等の様な粘性の大きい内容物を収納する、容器の口部に打栓装着される、容器蓋に関するものであり、更に述べると、少量注出用のノズルと大量注出用の注出筒とを備えた容器蓋に関するものである。
【背景技術】
【０００２】
従来の容器蓋は、容器口部に打栓装着される中栓と、該中栓に設けられた注出筒と、該注出筒の基端部を閉鎖する遮断壁と、該遮断壁に設けられた切裂開口部用の弱化部と、該中栓に装着される外蓋と、を備えている。
【０００３】
そして、容器の内容物を使用する場合には、外蓋を開けてプルリングを露出させ、該プルリングを引っ張って切裂開口部を形成した後、該容器を傾けて注出筒から内容物を流出させる。所望量の内容物を注出した後、容器を元の状態（垂直状態）に戻し外蓋を閉めるが、この時、注出筒の先端部の内面を流出中の流体は、粘性があるためにすぐに前記先端部から離れないため、所謂液垂れが発生する。この現象は、ドレッシング等の粘性の大きい内容物において特に顕著に現れる。
【０００４】
そこで、前記問題を解決するため、注出筒の先端部の形状を工夫した、次の様な液体注出具が開発されている（例えば、特許文献１参照）。
注出縁部は、流路面と、その裏側に配置された裏路面と、前記流路面の先端及び裏路面の先端の間に連設された縁部端面とからなり、縁部端面の曲率半径は流路面の曲率半径よりも小さくされているため、流路面から縁部端面に流れる液体の流速を増すことにより、液体の液滴化を促進させ、液切れの向上を図っている。
【０００５】
【特許文献１】特開平１０−８１３５６号公報
【発明の開示】
【発明が解決しようとする課題】
【０００６】
この液体注出具では、醤油や料理酒などのように、比較的粘度が小さい内容物に対しては液垂れが発生しにくく、有効であるが、ソースやドレッシングのように、粘度が大きく、かつ、１回に少量の内容物を必要とする場合、流出量の調整が難しく、前記内容物が収納されている容器をゆっくりと傾けると、内容物の流出速度が遅くなり、注出筒の外面に垂れてしまうことがある。
【０００７】
この発明は、上記事情に鑑み、所望量の内容物の取り出しを簡単に行える様にすると共に、液垂れの発生を防止することを目的とする。又、他の目的は、消費者が望む注出量に応じた注出方法を容易に選択できるようにすることである。
【課題を解決するための手段】
【０００８】
この発明は、容器口部に打栓装着される中栓と、該中栓に螺合装着されるノズル具と、からなる合成樹脂製容器蓋において；前記中栓は、螺合筒と、該螺合筒の内側に位置する注出筒と、該注出筒の基端部を閉鎖する遮断壁と、該遮断壁に設けられ、前記注出筒の基端部の内側に位置する切裂開口部用の弱化部と、前記遮断壁に設けられ、前記弱化部の内側に位置するプルリングと、を備えており、前記ノズル具は、前記螺合筒に螺着する螺着筒と、該螺着筒の頂面に突設したノズルと、前記螺着筒にヒンジ結合され、閉蓋時に前記螺着筒の頂面を覆い前記ノズルを閉じる外蓋と、を備えていることを特徴とする。
【０００９】
この発明は、少量の内容物取出時には、外蓋を開蓋してノズルから注出し、大量の内容物取出時には、ノズル具の螺合を解除し中栓の注出筒から抽出することを特徴とする。又、この発明の容器蓋は、切裂開口部と前記ノズルにより絞られ形成された、注出筒室を有することを特徴とする。この発明のノズル具は、その外周面に、ローレットを形成されていることを特徴とする。この発明の中栓とノズル具の色は、互いに異なることを特徴とする。この発明の螺着筒の頂面に、注出筒の先端部と当接するインナーリングを設けたことを特徴とする。
【発明の効果】
【００１０】
この発明は、以上のように構成したので、所望する内容物の量に応じ、注出筒とノズルとを使い分けることができる。従って、内容物の取り出しを簡単に行えるとともに、液垂れの発生を防止するができる。
また、分離液状ドレッシングや半固形物を含有するドレッシングを内容物とする場合、使用前に容器をシャッフルするが、その際、外蓋には、シールリングに囲まれる領域にのみ内容物が付着するので、外蓋を開蓋した時に垂れる心配がない。
【００１１】
ノズルの外周面に、ローレットを形成すると、滑り止めとなるので、螺着筒を確実に回転させることができる。
【００１２】
中栓とノズル具の色を、互いに異ならしめると、両者を確実に見分けることができ、螺着等の操作を確実に行うことができる。
【発明を実施するための最良の形態】
【００１３】
この発明の第１実施の形態を図１〜図４により説明する。
容器蓋は、合成樹脂により形成され、互いに色の異なる中栓１とノズル具２０とから構成されている。
【００１４】
中栓１は、例えば、白色の合成樹脂により形成され、容器の口部２を挟持する内筒３と係合突起５付きの外筒４と、該外筒４の天壁に立設された螺合筒６と、該螺合筒６の内側に立設された注出筒７と、を備えている。この注出筒７の基端部には、遮断壁９が設けられ、該遮断壁９の内面には、裂溝等の弱化部１０が形成されている。
【００１５】
この弱化部１０は、注出筒７の基端部の内側に設けられ、該弱化部により囲まれた部分（開口部予定部分）は、例えば、菱形状に形成されている。この開口部予定部分は、切裂開口部１２となる部分で、この部分は注出筒７の基端部の端面積よりも小さく、例えば、その１／２の面積に形成されている。又、前記部分には、プルリング１５が立設されている。
【００１６】
ノズル具２０は、中栓１とは異なる色、例えば、赤色の合成樹脂により形成され、螺着筒２１と、該螺合筒２１にヒンジ結合された外蓋２３と、を備えている。螺着筒２１の下部内面には、前記螺合筒６のねじ部に螺着するねじ部２１ａが設けられている。螺着筒２１の頂面２２の内面には注出筒７の先端部と当接するインナーリング２５が設けられ、その上面には、係止筒２７が設けられている。この螺着筒２１の外周面にはローレット２９が形成され、又、その外周面の、鍔３１と対向する部分には凹部２６が設けられている。
【００１７】
ノズル２８は頂面２２の中央に設けられ、その開口面積は、切裂開口部１２の面積より小さく、例えば、その２／５の面積に形成されている。
【００１８】
螺着筒２１と外蓋２３とは、ヒンジ３０により連結されているが、このヒンジ３０として、外面への突出量の少ないヒンジ機構を採用することが望ましい。
従来公知のヒンジキャップは、ヒンジで連結された外蓋を開け、使用されるのが一般的であるが、本発明においては所望する注入量に応じ、ヒンジ連結された外蓋２３を開けて使用する方法と、ヒンジを有するノズル具２０の螺合を解除して使用する方法とがあり、後者の場合、ヒンジの突出量をできるだけ少なくすることで手を痛めるのを防止することができる。
【００１９】
外蓋２３には、鍔３１が設けられているが、この鍔３１は、ヒンジ３０と反対側に位置している。外蓋２３の天面３２の内面には、ノズル２８の先端部に当接する内側シール筒３４及び外側シール筒３５が設けられ、スカート３７の下端部内面には、係止筒２７と係合する係合部が設けられている。このスカート３７は、閉蓋時に螺着筒２１の頂面２２を覆える大きさに形成されている。
【００２０】
次に、本実施形態の作動について説明する。
図１は、本発明の実施の形態にかかる合成樹脂製容器蓋を示す。本実施の形態の容器蓋は、ソースやドレッシング、食用油、のような中高粘性の内容物、特に粘度が０．２Ｐａ・ｓ（２００ｃＰ）以上の内容物を収納する容器の口部２に、打栓装着される。
【００２１】
初めて内容物を使用する場合
螺着筒２１を手で握って開方向に回すと、螺合が解除され、螺着筒２１は螺合筒６から外れ、プルリング１５が露出する。この時、螺着筒２１の外周面には、ローレット２９が形成されているので、手を滑らすことなく回すことができる。又、中栓１とノズル具２０とは、異なる色で形成されているので、螺着筒２１だけを確実に掴むことができる。又、ヒンジは、螺着筒２１の外周面からの突出量が少ない形状を採用することで、怪我を防止することができる。
【００２２】
プルリング１５を引っ張ると、弱化部１０が裂き切れ、図２、図３に示すように、切裂開口部１２が形成される。
【００２３】
大量の内容物を必要とする場合には、この状態において前記容器を傾ける。そうすると、容器内の内容物Ｗは、切裂開口部１２を通り、注出筒７に案内されながら流下し、器外の食器等の上に排出される。
【００２４】
所望量の内容物Ｗを注出したら、容器を元の状態（垂直状態）に戻し、螺着筒２１を螺合筒６に螺着する。この時、注出筒７の先端部は、インナーリング２５に当接し、又、ノズル２８はシールリング３４，３５に当接している。
【００２５】
少量の内容物を注出する場合
垂直状態の容器蓋の鍔３０に指を掛けて押し上げると、外蓋２３が開きノズル２８が露出する。この時、螺合筒６には、凹部２６が設けられているので、鍔３１に確実に指を掛けることができる。
【００２６】
この状態において容器を傾けると、内容物Ｗは切裂開口部１２を通り、ノズル２８から器外の食器等の上に排出される。この時、内容物Ｗは、切裂開口部１２により絞られながら注出筒室４０に入り、一旦該注出筒室４０に溜められたような状態となり、その後、注出筒室４０の内容物Ｗはノズル２８内に流入し器外に排出される。そのため、内容物Ｗの流出速度が規制されるので、誤って容器を強く握ってしまったり、傾けすぎて内容物が出過ぎたり、飛び散ったりする等のトラブルの発生を防止することができる。
【００２７】
インナーリング２５は、注出筒７の先端部と当接しているので、両者２５，７の間から内容物Wが漏れることは無い。なお、切裂開口部１２は図２に示すように、角穴で良いし、注出筒７内面に内容物の抽出量を規制する遮断壁９を有すれば、任意の形状でも構わない。
【００２８】
所望量の内容物Ｗを注出したら、容器を元の状態（垂直状態）に戻し、外蓋２３の天面３２を押すと、スカート３７の係合部が係止筒２７に係止するとともに、ノズル２８の先端部は、シールリング３４，３５に当接する密栓状態となる。そのため、この状態で容器を倒しても、内容物Wが漏出することはない。又、スカート３７は、螺着筒２１の頂面２２を覆っているので、前記天面２２にゴミなどが付着するのを防止することができる。
【００２９】
この発明の第２の実施の形態を図５、図６により説明するが、図１〜図４と同一図面符号は、その名称も機能も同一である。
この実施の形態と前記第１の実施の形態との相違点は、上蓋２３の天面３２の中央部にノズル嵌合突部４５を設けたことである。このノズル嵌合突部４５は、断面Ｕ字状に形成され、頂板部４６と円錐筒部４７とを備えている。頂板部４６の内面には、シールリング４８が立設されている。
【００３０】
この実施の形態では、図６に示すように、上蓋２３を閉じた状態では、ノズル２８の口部は、シールリング４８と円錐筒部４７の内壁面に当接してシールされるので、ドレッシング等の内容物を混合し均一にするため、該容器を振っても、内容物がノズル２８から漏出することはない。
【図面の簡単な説明】
【００３１】
【図１】本発明の第１の実施形態の一部縦断面図である。
【図２】注出筒を用いて注出する場合を示す図で、中栓の平面図の一部を示す図である。
【図３】中栓の縦面図の一部を示す図である。
【図４】ノズル具を用いて注出する場合を示す図で、一部縦断面図である。
【図５】本発明の第２の実施の形態を示す一部断面正面図である。
【図６】閉蓋状態における正面図である。
【符号の説明】
【００３２】
１    中栓
２    口部
６    螺合筒
７    中出筒
１２  切裂開口部
２０  ノズル具
２１  螺着筒
２３  外蓋
２８  ノズル
【図１】
2005112386.tif 000003
【図２】
2005112386.tif 000004
【図３】
2005112386.tif 000005
【図４】
2005112386.tif 000006
【図５】
2005112386.tif 000007
【図６】
2005112386.tif 000008